(57)【要約】      （修正有）【課題】筆記具本体の側面に施されたデザインを看者に認識させることができる筆記具の保持装置を提供する。【解決手段】筆記具の保持装置Ａは、ペン先当接部位１１ａに筆記具本体３のペン先３１が当接し、筆記具本体３のペン先３１と反対側の端面に取り付けられた第１の磁石４と立設部材２の他端に設けられた第２の磁石５とが離間して筆記具本体３が立設すると共に回転して保持されているものである。【選択図】図１
0003114199.tif 000002
【実用新案登録請求の範囲】
【請求項１】
ペン先と反対側の端面に第１の磁石を取り付けた長手形状の筆記具本体と、
ベースと、
このベース内に設けられたモータと、
前記ベース内に設けられ、前記モータの駆動源である電池と、
前記モータによって回転し、前記筆記具本体のペン先に当接するペン先当接部位が前記ベースの表面に露出するように、前記モータの回転軸に取り付けられた回転体と、
一端を前記ベースに取り付けられて立設し、他端が前記回転体に対向するように、中途で湾曲している立設部材と、
この立設部材の他端に取り付けられた第２の磁石と、
この第２の磁石と前記第１の磁石の対向する面の極性は異なるものであり、
前記ペン先当接部位に前記筆記具本体のペン先が当接し、前記筆記具本体のペン先と反対側の端面に取り付けられた前記第１の磁石と前記立設部材の他端に設けられた前記第２の磁石とが離間して前記筆記具本体が立設すると共に回転している
ことを特徴とする筆記具の保持装置。
【請求項２】
ペン先当接部位は、回転体の中心であって、ペン先が係合する凹状の被係止部であることを特徴とする請求項１記載の筆記具の保持装置。
【請求項３】
側面にデザインが施された長手形状の表示体と、
ベースと、
このベース内に設けられたモータと、
前記ベース内に設けられ、前記モータの駆動源である電池と、
前記モータによって回転し、前記表示体の一方の端面を載置する表示体載置部位が前記ベースの表面に露出するように、前記モータの回転軸に取り付けられた回転体と、
一端を前記ベースに取り付けられて立設し、他端が前記回転体に対向するように、中途で湾曲している立設部材と、
前記長手形状の表示体の他方の端面に取り付けられた第１の磁石と、
前記立設部材の他端に設けられた第２の磁石と、
この第２の磁石と前記第１の磁石の対向する面の極性は異なるものであり、
前記表示体載置部位に前記長手形状の表示体の一方の端面が当接し、前記長手形状の表示体の他方の端面に取り付けられた前記第１の磁石と前記立設部材の他端に取り付けられた前記第２の磁石とが離間して前記表示体が立設すると共に回転している
ことを特徴とする表示体の保持装置。
【請求項４】
表示体が筆記具本体であることを特徴とする請求項３記載の表示体の保持装置。
【考案の詳細な説明】
【技術分野】
【０００１】
本考案は、筆記具の保持装置及び表示体の保持装置に係り、特に、筆記具本体又は表示体の側面に施されたデザインを看者に認識させることができる筆記具の保持装置及び表示体の保持装置に関する。
【背景技術】
【０００２】
従来、磁石を使って筆記具を保持する筆記具の保持装置がある（例えば、特許文献１参照）。
これは、筆記具の両端面に磁石を取り付け、これに対応する保持部に筆記具の磁石の数に合わせて複数設け、何れか一方の筆記具の磁石とこの筆記具の磁石に対応する保持部の磁石を吸着させて筆記具を保持するようにしている。
しかしながら、上述した筆記具の保持装置にあっては、筆記具を磁石により吸着して保持するだけで、おもしろさに欠けるという問題点があった。
【特許文献１】特開平９−３９４７７号公報（図１、図２）
【考案の開示】
【考案が解決しようとする課題】
【０００３】
本考案は、前記した問題点を除去するようにした筆記具の保持装置及び表示体の保持装置を提供することを目的としている。
【課題を解決するための手段】
【０００４】
前記した目的を達成するための請求項１記載の筆記具の保持装置は、ペン先と反対側の端面に第１の磁石を取り付けた長手形状の筆記具本体と、ベースと、
このベース内に設けられたモータと、前記ベース内に設けられ、前記モータの駆動源である電池と、前記モータによって回転し、前記筆記具本体のペン先に当接するペン先当接部位が前記ベースの表面に露出するように、前記モータの回転軸に取り付けられた回転体と、一端を前記ベースに取り付けられて立設し、他端が前記回転体に対向するように、中途で湾曲している立設部材と、この立設部材の他端に取り付けられた第２の磁石と、この第２の磁石と前記第１の磁石の対向する面の極性は異なるものであり、前記ペン先当接部位に前記筆記具本体のペン先が当接し、前記筆記具本体のペン先と反対側の端面に取り付けられた前記第１の磁石と前記立設部材の他端に設けられた前記第２の磁石とが離間して前記筆記具本体が立設すると共に回転しているものである。
【０００５】
また、請求項２記載の筆記具の保持装置は、請求項１記載の筆記具の保持装置において、ペン先当接部位は、回転体の中心であって、ペン先が係合する凹状の被係止部である。
【０００６】
また、請求項３記載の表示体の保持装置は、側面にデザインが施された長手形状の表示体と、ベースと、このベース内に設けられたモータと、前記ベース内に設けられ、前記モータの駆動源である電池と、前記モータによって回転し、前記表示体の一方の端面を載置する表示体載置部位が前記ベースの表面に露出するように、前記モータの回転軸に取り付けられた回転体と、一端を前記ベースに取り付けられて立設し、他端が前記回転体に対向するように、中途で湾曲している立設部材と、前記長手形状の表示体の他方の端面に取り付けられた第１の磁石と、
前記立設部材の他端に設けられた第２の磁石と、この第２の磁石と前記第１の磁石の対向する面の極性は異なるものであり、前記表示体載置部位に前記長手形状の表示体の一方の端面が当接し、前記長手形状の表示体の他方の端面に取り付けられた前記第１の磁石と前記立設部材の他端に取り付けられた前記第２の磁石とが離間して前記表示体が立設すると共に回転しているものである。
【０００７】
また、請求項４記載の表示体の保持装置は、請求項３記載の表示体の保持装置において、表示体が筆記具本体である。
【考案の効果】
【０００８】
請求項１記載の筆記具の保持装置によれば、ペン先当接部位に筆記具本体のペン先が当接し、前記筆記具本体のペン先と反対側の端面に取り付けられた第１の磁石と前記立設部材の他端に設けられた第２の磁石とが離間して前記筆記具本体が立設すると共に回転しているため、筆記具本体の側面に施されたデザインを看者に認識させることができ、しかも、筆記具本体のペン先と反対側の端面は立設部材の他端に設けられた第２の磁石とを離間させるだけで筆記具本体の立設状態を保持でき、更に、筆記具本体の荷重を磁力により引き上げるように作用させてモータの負担をも軽減させることができる。
【０００９】
又、請求項２記載の筆記具の保持装置によれば、前述した請求項１記載の考案の効果に加え、ペン先を凹状の被係止部に係合すれば、長手形状の筆記具本体の回転中心と回転体の中心を簡易に位置を合わせることができ、しかも、筆記具本体を安定且つ効率よく回転させることができる。
【００１０】
又、請求項３記載の表示体の保持装置によれば、表示体載置部位に長手形状の表示体の一方の端面が当接し、前記長手形状の表示体の他方の端面に取り付けられた第１の磁石と立設部材の他端に取り付けられた第２の磁石とが離間して前記表示体が立設すると共に回転しているため、表示体の側面に施されたデザインを看者に認識させることができ、広告宣伝効果、販売促進効果等を発揮し、しかも、表示体の他方の端面に取り付けられた第１の磁石と前記立設部材の他端に取り付けられた第２の磁石とを離間させるだけで表示体の立設状態を保持でき、更に、表示体の荷重を磁力により引き上げるように作用させてモータの負担をも軽減させることができる。
【００１１】
又、請求項４記載の表示体の保持装置によれば、前述した請求項３記載の考案の効果に加え、表示体が筆記具本体であるため、筆記具の広告宣伝効果、販売促進効果等を発揮することができる。
【考案を実施するための最良の形態】
【００１２】
本考案の一実施例の筆記具の保持装置及び表示体の保持装置を図面を参照して説明する。
図１乃至図５において、Ａは筆記具の保持装置で、筆記具の保持装置Ａは、ボールペン、シャープペンなどの筆記具を立設状態で保持するもので、ベース１と、一端をベース１に取り付けられて立設し、他端が回転体１１に対向するように、中途で湾曲している立設部材２とから、概略的に構成されている。
３はペン先３１と反対側の端面に第１の磁石４を取り付けた長手形状の筆記具本体である。
【００１３】
ベース１内には、モータ１２、モータ１２の駆動源である電池（図示せず）
が設けられている。上述した回転体１１は、モータ１２によって回転し、筆記具本体３のペン先３１に当接するペン先当接部位１１ａがベース１の表面に露出するように、モータ１２の回転軸１２ａに取り付けられている。
【００１４】
なお、上述した立設部材２の他端には、第２の磁石５が取り付けられている  。そして、この第２の磁石５と第１の磁石４の対向する面の極性は異なって、互いに吸引するように配置されている。
【００１５】
従って、図１及び図２に示すように、ペン先当接部位１１ａに筆記具本体３のペン先３１が当接し、筆記具本体３のペン先３１と反対側の端面に取り付けられた第１の磁石４と立設部材２の他端に設けられた第２の磁石５とが離間して筆記具本体３が立設すると共に回転することとなる。
その結果、筆記具の保持装置Ａによれば、ペン先当接部位１１ａに筆記具本体３のペン先３１が当接し、筆記具本体３のペン先３１と反対側の端面に取り付けられた第１の磁石４と立設部材２の他端に設けられた第２の磁石５とが離間して筆記具本体３が立設すると共に回転しているため、筆記具本体３の側面に施されたデザインを看者に認識させることができ、しかも、筆記具本体３のペン先３１と反対側の端面は立設部材２の他端に設けられた第２の磁石５とを離間させるだけで筆記具本体３の立設状態を保持でき、更に、筆記具本体３の荷重を磁力により引き上げるように作用させてモータ１２の負担をも軽減させることができる  。
【００１６】
なお、特に、ペン先当接部位１１ａを、図２及び図５に示すように回転体１１の中心であって、ペン先３１が係合する凹状の被係止部とすると良い。
その結果、ペン先３１を凹状の被係止部１１ａに係合すれば、長手形状の筆記具本体３の回転中心と回転体１１の中心を簡易に位置を合わせることができ、しかも、筆記具本体３を安定且つ効率よく回転させることができる。
【００１７】
なお、上述した実施例においては、筆記具に適用した例について説明したが
、本考案にあっては、これに限らず、図６に示すように、表示体（ディスプレイ装置）の保持装置Ａ’にも適用できるものである。表示体（ディスプレイ装置）の保持装置Ａ’にあっては、側面にデザインが施された長手形状の表示体３’は、上述した実施例と同様、筆記具本体形状でも良いが、図６に示すように、長手形状の表示体は、例えば、円柱、角柱でも良く、円柱、角柱の場合、上述した回転中心に向かって傾斜した回転体１１ではなく、平坦面となった回転体１１’以外は、上述の実施例と同様であるので、上述の実施例と同一部分に同一符号を付して、その説明を省略する。
【００１８】
図６記載の表示体の保持装置Ａ’においては、表示体載置部位（回転体）１１’に長手形状の表示体３’の一方の端面が当接し、長手形状の表示体３’の他方の端面に取り付けられた第１の磁石４と立設部材２の他端に取り付けられた第２の磁石５とが離間して表示体３’が立設すると共に回転しているため、表示体３’の側面に施されたデザインを看者に認識させることができ、広告宣伝効果、販売促進効果等を発揮し、しかも、表示体３’の他方の端面に取り付けられた第１の磁石４と立設部材２の他端に取り付けられた第２の磁石５とを離間させるだけで表示体３’の立設状態を保持でき、更に、表示体３’の荷重を磁力により引き上げるように作用させてモータの負担をも軽減させることができる。
なお、特に、表示体３’を前述の実施例のように筆記具本体３とすれば、筆記具の広告宣伝効果、販売促進効果等を発揮することができる。
【図面の簡単な説明】
【００１９】
【図１】図１は、本考案の一実施例である筆記具の保持装置の概略的側面図である。
【図２】図２は、図１の概略的側面図である。
【図３】図３は、図１から筆記具を取り除いた状態の概略的側面図である。
【図４】図４は、図３の３−３線による概略的側面図である。
【図５】図５は、図４の５−５線による概略的側面図である。
【図６】図６は、本考案の一実施例である表示体の保持装置の概略的側面図である。
【符号の説明】
【００２０】
Ａ    …………筆記具の保持装置
２    …………立設部材
３    …………筆記具本体
４    …………第１の磁石
５    …………第２の磁石
１１ａ  ………… ペン先当接部位
３１    …………ペン先
【図１】
0003114199.tif 000003
【図２】
0003114199.tif 000004
【図３】
0003114199.tif 000005
【図４】
0003114199.tif 000006
【図５】
0003114199.tif 000007
【図６】
0003114199.tif 000008